(57)【要約】【課題】ユーザが放送信号を受信するための地域設定を行うことなく、移動体が位置する地域で受信可能な放送チャンネル情報を取得する。【解決手段】放送信号再送信装置１０は放送信号を移動体の走行路に沿って再送信し、チャンネル情報サーバ４０は再送信する地域毎の放送チャンネル情報を保持し、情報保持手段３１は移動体の位置情報３２ａとチャンネル情報サーバ４０との通信接続情報３２ｂとを保持し、受信端末２０は情報保持手段３１から入手した通信接続情報３２ｂに基づいてチャンネル情報サーバ４０と通信接続し、移動体の位置する地域に対応する放送チャンネル情報を取得して放送チャンネル情報を表示する。【選択図】図１
2010239231.tif 000002
【特許請求の範囲】
【請求項１】
放送信号を受信し移動体の走行路に再送信する放送信号再送信装置と、
前記放送信号再送信装置により再送信される地域を示す地域情報と前記放送信号の放送チャンネル情報を対応させてネットワーク上で保持するチャンネル情報サーバと、
前記移動体に搭載され、前記チャンネル情報サーバのネットワーク上の通信接続情報と前記移動体の現在の位置を示す位置情報を保持する情報保持手段と、
前記情報保持手段より通信接続情報と位置情報を取得し、取得した通信接続情報に基づき前記チャンネル情報サーバに取得した位置情報を送信し、前記チャンネル情報サーバから位置情報を含む地域情報に対応した放送チャンネル情報を取得して表示する受信端末とを備えた移動用放送信号再放送システム。
【請求項２】
放送信号を受信し移動体の走行路に再送信する放送信号再送信装置と、
前記放送信号再送信装置により再送信される地域を示す地域情報と前記放送信号の放送チャンネル情報を対応させてネットワーク上で保持するチャンネル情報サーバと、
前記移動体に乗車するための乗車券に記載されている、前記乗車券の利用範囲を示す利用範囲情報と前記チャンネル情報サーバのネットワーク上の通信接続情報とを取得し、取得した通信接続情報に基づき前記チャンネル情報サーバに取得した利用範囲情報を送信し、前記チャンネル情報サーバから利用範囲情報を含む地域情報に対応した放送チャンネル情報を取得して表示する受信端末とを備えた移動用放送信号再放送システム。
【請求項３】
移動体の走行路に再送信された放送信号を受信する受信端末において、
前記移動体の現在の位置を示す位置情報と後述のチャンネル情報サーバのネットワーク上の通信接続情報を取得する位置／接続情報取得手段と、
前記放送信号が再送信される地域を示す地域情報と前記放送信号の放送チャンネル情報を対応させてネットワーク上で保持する前記チャンネル情報サーバに、前記位置／接続情報取得手段により取得された通信接続情報に基づき、前記位置／接続情報取得手段により取得された位置情報を送信し、前記チャンネル情報サーバから位置情報を含む地域情報に対応した放送チャンネル情報を取得する放送チャンネル情報取得手段と、
前記放送チャンネル情報取得手段により取得された放送チャンネル情報を表示する表示手段とを備えたことを特徴とする受信端末。
【請求項４】
前記位置／接続情報取得手段は、非接触ＩＣチップの通信機能により位置情報と通信接続情報を取得することを特徴とする請求項３記載の受信端末。
【請求項５】
移動体の走行路に再送信された放送信号を受信する受信端末において、
前記移動体に乗車するための乗車券に記載されている、前記乗車券の利用範囲を示す利用範囲情報と後述のチャンネル情報サーバのネットワーク上の通信接続情報を取得する位置／接続情報取得手段と、
前記放送信号が再送信される地域を示す地域情報と前記放送信号の放送チャンネル情報を対応させてネットワーク上で保持する前記チャンネル情報サーバに、前記位置／接続情報取得手段により取得された通信接続情報に基づき、前記位置／接続情報取得手段により取得された利用範囲情報を送信し、前記チャンネル情報サーバから利用範囲情報を含む地域情報に対応した放送チャンネル情報を取得する放送チャンネル情報取得手段と、
前記放送チャンネル情報取得手段により取得された放送チャンネル情報を表示する表示手段とを備えたことを特徴とする受信端末。
【請求項６】
前記位置／接続情報取得手段は、コードリーダ機能により利用範囲情報と通信接続情報を取得することを特徴とする請求項５記載の受信端末。
【発明の詳細な説明】
【技術分野】
【０００１】
本発明は、移動体内の受信端末が放送信号を安定して受信するための移動体用放送信号再放送システムにおいて、ユーザが放送信号を受信するための地域設定を行うことなく、移動体が位置する地域で受信可能な放送チャンネル情報を取得可能な移動体用放送信号再放送システム及び受信端末に関するものである。
【背景技術】
【０００２】
特許文献１には、移動体内で放送信号を安定して受信するために、移動体の走行路に向けて放送信号を再送信する移動体用放送信号再放送システムが開示されている。この移動体用放送信号再放送システムは、地上設備にて受信した放送信号を、移動体の走行路に沿って敷設された漏洩同軸ケーブルに出力し、この漏洩同軸ケーブルから前記の走行路に向けて前記放送信号を無線にて送信するものである。この方式によれば、システム構成によって移動体の走行区間全域に渡って同一の地域設定の放送チャンネルの放送信号を送信する、また、それぞれの地域毎に独自の地域設定の放送チャンネルの放送信号を送信することが可能である。
【０００３】
このような移動体用放送信号再送信システムで再送信された放送信号を受信するためには、ユーザが、受信端末の使用時に地域設定を実施する必要がある。また、地域毎に独自の地域設定の放送信号を受信する場合、移動体の移動に応じて現在位置の地域が変わり、受信可能な放送チャンネルが変化するため、地域設定を都度切り替える必要がある。
【先行技術文献】
【特許文献】
【０００４】
【特許文献１】特開２００４−００７２１９号公報
【発明の概要】
【発明が解決しようとする課題】
【０００５】
しかしながら、従来の移動体用放送信号再放送システムは、ユーザが現在位置を含む地域に応じて受信端末の地域設定を行わなければ受信可能な放送チャンネル情報を取得できないため、利便性が悪いという課題があった。
【０００６】
この発明は、上述した課題を解決するためになされたもので、ユーザが放送信号を受信するための地域設定を行うことなく、移動体が位置する地域で受信可能な放送チャンネル情報を取得可能な移動体用放送信号再放送システム及び受信端末を提供することを目的とする。
【課題を解決するための手段】
【０００７】
この発明に係る移動体用放送信号再放送システムは、放送信号を受信し移動体の走行路に再送信する放送信号再送信装置と、放送信号再送信装置により再送信される地域を示す地域情報と放送信号の放送チャンネル情報を対応させてネットワーク上で保持するチャンネル情報サーバと、移動体に搭載され、チャンネル情報サーバのネットワーク上の通信接続情報と移動体の現在の位置を示す位置情報を保持する情報保持手段と、情報保持手段より通信接続情報と位置情報を取得し、取得した通信接続情報に基づき前記チャンネル情報サーバに取得した位置情報を送信し、チャンネル情報サーバから位置情報を含む地域情報に対応した放送チャンネル情報を取得して表示する受信端末とを備えたものである。
【０００８】
また、この発明に係る移動体用放送信号再放送システムは、放送信号を受信し移動体の走行路に再送信する放送信号再送信装置と、放送信号再送信装置により再送信される地域を示す地域情報と放送信号の放送チャンネル情報を対応させてネットワーク上で保持するチャンネル情報サーバと、移動体に乗車するための乗車券に記載されている、乗車券の利用範囲を示す利用範囲情報とチャンネル情報サーバのネットワーク上の通信接続情報とを取得し、取得した通信接続情報に基づきチャンネル情報サーバに取得した利用範囲情報を送信し、チャンネル情報サーバから利用範囲情報を含む地域情報に対応した放送チャンネル情報を取得して表示する受信端末とを備えたものである。
【０００９】
また、この発明に係る受信端末は、移動体の走行路に再送信された放送信号を受信する受信端末において、移動体の現在の位置を示す位置情報と後述のチャンネル情報サーバのネットワーク上の通信接続情報を取得する位置／接続情報取得手段と、放送信号が再送信される地域を示す地域情報と放送信号の放送チャンネル情報を対応させてネットワーク上で保持するチャンネル情報サーバに、位置／接続情報取得手段により取得された通信接続情報に基づき、位置／接続情報取得手段により取得された位置情報を送信し、チャンネル情報サーバから位置情報を含む地域情報に対応した放送チャンネル情報を取得する放送チャンネル情報取得手段と、放送チャンネル情報取得手段により取得された放送チャンネル情報を表示する表示手段とを備えたものである。
【００１０】
また、この発明に係る受信端末は、移動体の走行路に再送信された放送信号を受信する受信端末において、移動体に乗車するための乗車券に記載されている、乗車券の利用範囲を示す利用範囲情報とチャンネル情報サーバのネットワーク上の通信接続情報を取得する位置／接続情報取得手段と、放送信号が再送信される地域を示す地域情報と放送信号の放送チャンネル情報を対応させてネットワーク上で保持する前記チャンネル情報サーバに、位置／接続情報取得手段により取得された通信接続情報に基づき、位置／接続情報取得手段により取得された利用範囲情報を送信し、チャンネル情報サーバから利用範囲情報を含む地域情報に対応した放送チャンネル情報を取得する放送チャンネル情報取得手段と、放送チャンネル情報取得手段により取得された放送チャンネル情報を表示する表示手段とを備えたものである。
【発明の効果】
【００１１】
この発明に係る移動体用放送信号再放送システム及び受信端末によれば、受信端末が、移動体に搭載された情報保持手段から取得した位置情報及び通信接続情報に基づいて、ネットワーク上のチャンネル情報サーバと通信接続を行うとともにチャンネル情報サーバから移動体の現在位置を含む地域に対応する放送チャンネル情報を取得して、放送チャンネル情報を表示するように構成したので、ユーザに対して受信可能な放送チャンネルを提示することができる。その結果、ユーザに地域設定を意識させること無く、ユーザが所望の放送チャンネルの選局を容易に行えるようにでき、利便性を向上させることができる。
【００１２】
また、この発明に係る移動体用放送信号再放送システム及び受信端末によれば、受信端末が、移動体に乗車するための乗車券に記載された利用範囲情報及び通信接続情報を取得し、利用範囲情報及び通信接続情報に基づいてネットワーク上のチャンネル情報サーバと通信接続を行うとともにチャンネル情報サーバから乗車券の利用範囲を含む地域に対応する放送チャンネル情報を取得して、放送チャンネル情報を表示するように構成したので、ユーザに対して受信可能な放送チャンネルを提示することができる。その結果、ユーザに地域設定を意識させること無く、ユーザが所望の放送チャンネルの選局を容易に行えるようにでき、利便性を向上させることができる。また、移動体に情報保持手段を搭載しないように構成したので、実現のためのコストを低減することができる。
【図面の簡単な説明】
【００１３】
【図１】実施の形態１の移動体用放送信号再放送システムを示す模式図である。
【図２】この発明の受信端末の構成を示すブロック図である。
【図３】この発明のチャンネル設定情報を示す対応表である。
【図４】実施の形態１における受信端末の動作を示すフローチャートである。
【図５】実施の形態２の移動体用放送信号再放送システムを示す模式図である。
【図６】実施の形態２における受信端末の動作を示すフローチャートである。
【発明を実施するための形態】
【００１４】
以下、この発明の実施の形態を、図面を参照しながら詳細に説明する。
実施の形態１．
図１は、この発明の実施の形態１の移動体用放送信号再放送システム１を説明するための模式図である。
図２は、この発明の受信端末２０の構成を示すブロック図であり、図３は、この発明のチャンネル設定情報４１を示す対応表である。
【００１５】
移動体用放送信号再放送システム１は、例えば地上波デジタル放送を行う放送局（放送チャンネル）から送信されたワンセグ放送信号を放送信号再送信装置１０により移動体内の受信端末２０に安定した放送信号を送信するものであり、図１に示すように、放送信号再送信装置１０、受信端末２０、情報保持手段３１、チャンネル情報サーバ４０から構成されている。
【００１６】
実施の形態１において、放送信号再送信装置１０及びチャンネル情報サーバ４０は、地上設備として設けられており、受信端末２０及び情報保持手段３１は移動体内で操作されるものである。
【００１７】
放送信号再送信装置１０は、再送信手段１１及び漏洩同軸ケーブル１５から構成され、再送信手段１１が放送局から送信されたワンセグ放送信号を既知の技術により受信し、漏洩同軸ケーブル１５に伝送するものである。
漏洩同軸ケーブル１５は、例えば従来から列車無線等で使用されているように移動体の走行路に沿って敷設されているものであり、再送信手段１１から伝送されたワンセグ放送信号を移動体の走行路上に出力している。
【００１８】
受信端末２０は、例えばワンセグ放送を受信してユーザが視聴することができる機能（ワンセグ放送機能）を備えた携帯電話であり、テレビ受像機としてのワンセグ放送機能の他にインターネットなどのネットワークを介した通信機能も備えている。
受信端末２０は、図２に示すように、位置／接続情報取得手段２１、放送チャンネル情報取得手段２２、放送信号受信手段２３、表示手段２４を有しており、ユーザによる操作を受け付ける操作手段（図示せず）の操作に基づいて、各手段が制御手段（図示せず）により制御されている。
【００１９】
位置／接続情報取得手段２１は、例えば非接触ＩＣチップを備え、外部機器としての情報保持手段３１との間で非接触のデータ送受信を行う機能（非接触ＩＣチップの通信機能）を備えたものである。
【００２０】
放送チャンネル情報取得手段２２は、例えば受信端末２０においてインターネットなどの通信機能を実行するものであり、チャンネル情報サーバ４０とネットワークを介して通信接続をしてデータ通信を行う。
【００２１】
放送信号受信手段２３は、アンテナ（図示せず）を介してワンセグ放送信号を受信し、放送番組映像として表示手段２４に送信するものであり、表示手段２４は、例えばディスプレイであり、制御手段からの指示に従って画像及び映像を表示するものである。
【００２２】
情報保持手段３１は、例えば、移動体内に設置された情報送信装置に位置／接続情報３２を保持しており、受信端末２０の既知の非接触ＩＣチップとの間でデータの送受信を行うことができ、位置／接続情報３２を受信端末２０へ送信するものである。
【００２３】
位置／接続情報３２は、既知の技術で取得した移動体の現在位置を示す位置情報３２ａと、受信端末２０とチャンネル情報サーバ４０とをネットワークを介して通信接続するための、例えばネットワーク上のアドレスを示す通信接続情報３２ｂから構成される情報である。
【００２４】
チャンネル情報サーバ４０は、図３に示すように、放送信号再送信装置１０により再送信する地域を示す地域情報４２と、各地域にて再放送されるワンセグ放送信号の複数の放送チャンネルを示す放送チャンネル情報４３とを対応させたチャンネル設定情報４１を予め保持しているものであり、受信端末２０からの位置情報３２ａに応じて、移動体の位置を含む地域に対応する放送チャンネル情報４３を返信する。放送チャンネル情報４３は、例えば複数のチャンネル毎に、リモコン番号、放送チャンネル名、物理チャンネル番号からなる情報であり、地域Ａで再送信される複数の放送チャンネル情報４３ａ、地域Ｂで再送信される複数の放送チャンネル情報４３ｂ、・・・が保持されている
【００２５】
次に移動体用放送信号再放送システム１の動作について説明する。
ここでは、移動体の現在位置が地域Ａに含まれる位置であるものとして説明する。
受信端末２０がユーザにより情報保持手段３１に近づけられると、受信端末２０は、非接触ＩＣチップのデータ受信機能により情報保持手段３１に記憶されている位置／接続情報３２を取得する（ステップＳＴ１１）。
【００２６】
受信端末２０は、取得した位置／接続情報３２の通信接続情報３２ｂに基づいてチャンネル情報サーバ４０とのインターネットによる通信接続を開始し、放送チャンネル情報４３を要求する信号とともに位置情報３２ａをチャンネル情報サーバ４０へ送信する（ステップＳＴ１２）。チャンネル情報サーバ４０は、要求に応じて位置情報３２ａの位置が含まれる地域Ａに対応する放送チャンネル情報４３ａを返信する（ステップＳＴ１３）。
【００２７】
受信端末２０は、チャンネル情報サーバ４０から地域Ａに対応する放送チャンネル情報４３ａを取得すると、移動体の現在位置を含む地域Ａにおいて選局可能な放送チャンネル情報４３ａを表示する。
【００２８】
受信端末２０に表示した放送チャンネル情報４３ａから、ユーザにより所望の放送チャンネルが選択されると、受信端末２０は、選択された放送チャンネルの物理チャンネル番号に基づいて放送チャンネルを選局する（ステップＳＴ１４）。
【００２９】
受信端末２０は、このように放送チャンネルを選局することで、放送信号再送信装置１０から漏洩同軸ケーブル１５を介して送信されているワンセグ放送信号を受信し、ワンセグ放送番組の映像を表示させる。
【００３０】
次に、受信端末２０の動作について説明する。
図４は、この発明の実施の形態１における受信端末２０の動作を説明するためのフローチャートである。
ここでは、上記と同様に、移動体の現在位置が地域Ａに含まれる位置であるものとして説明する。
【００３１】
まず、図示しない操作手段からユーザによりワンセグ放送を視聴する操作が行われると、位置／接続情報取得手段２１は、情報保持手段３１から位置／接続情報３２を取得したかどうかを判断する（ステップＳＴ２１）。位置／接続情報３２を取得していない場合（ステップＳＴ２１“ＮＯ”）は、位置／接続情報３２の入力を促す表示を表示手段２４に表示させて位置／接続情報３２を取得するまで待機する。
【００３２】
受信端末２０が情報保持手段３１に近づけられ、非接触ＩＣチップの通信機能により、位置／接続情報取得手段２１が位置／接続情報３２を取得した場合（ステップＳＴ２１“ＹＥＳ”）は、位置／接続情報取得手段２１が放送チャンネル情報取得手段２２へ位置／接続情報３２を送信し、放送チャンネル情報取得手段２２が位置／接続情報３２の通信接続情報３２ｂに基づいてネットワーク上のチャンネル情報サーバ４０との通信接続を開始する（ステップＳＴ２２）。
【００３３】
放送チャンネル情報取得手段２２は、チャンネル情報サーバ４０と通信接続すると、放送チャンネル情報を要求する信号とともに位置情報３２ａをチャンネル情報サーバ４０へ送信する（ステップＳＴ２３）。放送チャンネル情報取得手段２２は、チャンネル情報サーバ４０からチャンネル設定情報４１を取得するまで待機し（ステップＳＴ２４）、位置情報３２ａの位置が含まれる地域Ａに対応する放送チャンネル情報４３ａを取得すると、放送チャンネル情報４３ａを表示手段２４に送信し、表示手段２４は、放送チャンネル情報４３ａを表示する（ステップＳＴ２５）。
【００３４】
表示した放送チャンネル情報４３ａのリモコン番号及び放送チャンネル名がユーザにより選択されると（ステップＳＴ２６）、選択された放送チャンネル名に対応する物理チャンネル番号が放送信号受信手段２３へ送信され、放送信号受信手段２３が物理チャンネル番号に基づいて放送チャンネルを選局する（ステップＳＴ２７）。
【００３５】
放送信号受信手段２３は、選局した放送チャンネルの放送信号を受信し（ステップＳＴ２８）、表示手段２４が放送信号に基づいた放送番組を表示する（ステップＳＴ２９）。
【００３６】
上述のように、実施の形態１の移動体用放送信号再放送システム１は、受信端末２０が、非接触ＩＣチップの通信機能により取得した位置情報３２ａ及び通信接続情報３２ｂに基づいてネットワーク上のチャンネル情報サーバ４０と通信接続を行い、チャンネル情報サーバ４０から移動体の現在位置を含む地域に対応する放送チャンネル情報４３を取得して選択可能に表示するように構成したので、ユーザが放送信号を受信するための地域設定を行うことなく、所望の放送チャンネルを選択するだけで放送チャンネルを選局することができる。その結果、ユーザに対して地域設定を意識させること無くチャンネル選局を行えるようにでき、利便性を向上させることができる。
【００３７】
また、受信端末２０が、チャンネル情報サーバ４０からネットワークを介して放送チャンネル情報４３を取得可能であり、放送信号再送信装置１０から再送信されるワンセグ放送信号の放送チャンネルが移動体の移動に応じて変化する場合でも、チャンネル情報サーバ４０から放送チャンネル情報４３を再取得することで、容易に放送チャンネルの再選局を実現できる。
【００３８】
実施の形態２．
実施の形態１において、受信端末２０が非接触ＩＣチップの通信機能により情報保持手段３１から位置／接続情報３２を取得する移動体用放送信号再放送システム１について説明したが、実施の形態２は、受信端末２０がコードリーダ機能を利用して位置／接続情報を取得する例について説明する。
【００３９】
図５は、実施の形態２の移動体用放送信号再放送システム１とその動作を説明するための模式図である。なお、実施の形態２において、実施の形態１と同じ構成については、図１〜図４と同じ符号を付し、その詳細な説明は省略する。
【００４０】
実施の形態２の受信端末２０は、例えばカメラなどの撮像機能を利用したコードリーダ機能を備えている。また、図５に示すように、移動体用放送信号再放送システム１は、実施の形態１における情報保持手段３１としての情報送信装置に替えて乗車券３３を用いている。
【００４１】
乗車券３３は、例えば、受信端末２０を所持したユーザが移動体に乗車して移動する際に必要なもので、乗車券３３の表面または裏面には、例えばマトリックス型二次元コード３３ａが印刷されている。このマトリックス型二次元コード３３ａには、位置／接続情報３４が保持されている。
【００４２】
位置／接続情報３４は、乗車券３３の利用範囲を示す利用範囲情報３４ａ、チャンネル情報サーバ４０とネットワーク上で通信接続するための通信接続情報３４ｂからなる。
【００４３】
次に移動体用放送信号再放送システム１の動作について説明する。
ここでは、乗車券３３の利用範囲が地域Ａに含まれる範囲であるものとして説明する。
受信端末２０のカメラなどから、ユーザの操作により乗車券３３のマトリックス型二次元コード３３ａが受信端末２０に入力されると、受信端末２０は、既知の技術であるコードリーダ機能によりマトリックス型二次元コード３３ａを処理して位置／接続情報３４を取得する（ステップＳＴ５１）。
【００４４】
受信端末２０は、取得した位置／接続情報３４の通信接続情報３４ｂに基づいてチャンネル情報サーバ４０とのインターネットによる通信接続を開始し、放送チャンネル情報を要求する信号とともに利用範囲情報３４ａをチャンネル情報サーバ４０へ送信する（ステップＳＴ５２）。チャンネル情報サーバ４０は、要求に応じて利用範囲情報３４ａの利用範囲が含まれる地域Ａに対応する放送チャンネル情報４３の放送チャンネル情報４３ａを返信する（ステップＳＴ５３）。
【００４５】
受信端末２０は、チャンネル情報サーバ４０から地域Ａに対応する放送チャンネル情報４３ａを取得すると、乗車券３３の利用範囲を含む地域Ａにおいて選局可能な放送チャンネル情報４３ａを表示する。
【００４６】
受信端末２０に表示した放送チャンネル情報４３ａから、ユーザにより所望の放送チャンネルが選択されると、受信端末２０は、選択された放送チャンネルの物理チャンネル番号に基づいて放送チャンネルを選局する（ステップＳＴ５４）。
【００４７】
受信端末２０は、このように放送チャンネルを選局することで、放送信号再送信装置１０から送信されているワンセグ放送信号を受信し、ワンセグ放送番組の映像を表示手段２４に表示させる。
【００４８】
次に、受信端末２０の動作について説明する。
図６は、発明の実施の形態２における受信端末２０の動作を説明するためのフローチャートである。図６に示すように、受信端末２０は、図４のステップＳＴ２３に替えてステップＳＴ６３を行い、他のステップは実施の形態１と同様であり、実施の形態１と同様の動作については、説明を一部省略している。
また、動作の説明において、上記と同様に受信端末２０を持つユーザが移動体に乗車する利用範囲が地域Ａに含まれる範囲であるものとして説明する。
【００４９】
まず、ステップＳＴ２１で、位置／接続情報取得手段２１が位置／接続情報３４を取得すると、ステップＳＴ２２で、放送チャンネル情報取得手段２２が位置／接続情報３４の通信接続情報３４ｂに基づいてネットワーク上のチャンネル情報サーバ４０との通信接続を開始する。
【００５０】
放送チャンネル情報取得手段２２は、ステップＳＴ２２でチャンネル情報サーバ４０と通信接続すると、放送チャンネル情報を要求する信号とともに利用範囲情報３４ａをチャンネル情報サーバ４０へ送信する（ステップＳＴ６３）。放送チャンネル情報取得手段２２は、チャンネル情報サーバ４０からチャンネル設定情報４１を取得するまで待機し（ステップＳＴ２４）、利用範囲情報３４ａの範囲が含まれる地域Ａに対応する放送チャンネル情報４３ａを取得すると、放送チャンネル情報４３ａを表示手段２４に送信し、表示手段２４は、放送チャンネル情報４３ａを表示する（ステップＳＴ２５）。
【００５１】
表示した放送チャンネル情報４３ａのリモコン番号及び放送チャンネル名がユーザにより選択されると（ステップＳＴ２６）、選択された放送チャンネル名に対応する物理チャンネル番号が放送信号受信手段２３へ送信され、放送信号受信手段２３が物理チャンネル番号に基づいて放送チャンネルを選局する（ステップＳＴ２７）。
【００５２】
放送信号受信手段２３は、選局した放送チャンネルの放送信号を受信し（ステップＳＴ２８）、表示手段２４が放送信号に基づいた放送番組を表示する（ステップＳＴ２９）。
【００５３】
上述のように、実施の形態２の移動体用放送信号再放送システム１は、受信端末２０が、コードリーダ機能により取得した利用範囲情報３４ａ及び通信接続情報３４ｂに基づいてチャンネル情報サーバ４０と通信接続を行い、チャンネル情報サーバ４０から移動体の利用範囲を含む地域に対応する放送チャンネル情報４３を取得して選択可能に表示するように構成したので、ユーザが放送信号を受信するための地域設定を行うことなく、所望の放送チャンネルを選択するだけで放送チャンネルを選局することができる。その結果、ユーザに対して地域設定を意識させること無くチャンネル選局を行えるようにでき、利便性を向上させることができる。
また、移動体内に情報保持手段３１の設置が必要なくなるため、実現コストを抑えることが可能となる。
【００５４】
なお、本発明の実施の形態２において、受信端末２０のコード読み取り機能を用いているが、例えば、他のコード読み取り機能であっても、コードが位置／接続情報３４を保持していれば良く、同一の効果を得ることができる。
【００５５】
また、本発明の実施の形態においては、受信端末２０の非接触ＩＣチップの通信機能及びコードリーダ機能を用いて位置／接続情報３２，３４を取得しているが、受信端末２０が位置／接続情報３２，３４を取得できる構成であれば他の手段により実現してもよい。
【符号の説明】
【００５６】
１  移動体用放送信号再放送システム、１０  放送信号再送信装置、１１  再送信手段、１５  漏洩同軸ケーブル、２０  受信端末、２１  位置／接続情報取得手段、２２  放送チャンネル情報取得手段、２３  放送信号受信手段、２４  表示手段、３１  情報保持手段（情報送信装置）、３２  位置／接続情報、３２ａ  位置情報、３２ｂ，３４ｂ  通信接続情報、３３  乗車券、３３ａ  マトリックス型二次元コード、３４  位置／接続情報、３４ａ  利用範囲情報、４０  チャンネル情報サーバ、４１  チャンネル設定情報、４２  地域情報、４３，４３ａ，４３ｂ  放送チャンネル情報。
【図１】
2010239231.tif 000003
【図２】
2010239231.tif 000004
【図３】
2010239231.tif 000005
【図４】
2010239231.tif 000006
【図５】
2010239231.tif 000007
【図６】
2010239231.tif 000008